(57)【要約】【課題】赤外線センサーを加熱庫からの油煙や熱から安価で確実な手段で保護すること。【解決手段】加熱庫２２と、冷却ファン２７と、インバーター基板４２と、インバーター基板４２を収納保持するプリントベース板２０と、被加熱物の温度を検知する赤外線センサー２６と、断熱板２３からなり、冷却ファン２７の風がプリントベース板２０と断熱板２３の間を通路とし赤外線センサー２６に供給する構成となり加熱庫２２からの油煙による汚れや熱から赤外線センサー２６を保護することができる。【選択図】図１
2006194480.tif 000002
【特許請求の範囲】
【請求項１】
被加熱物を収納して加熱する加熱庫と、前記加熱庫に高周波電波を供給する高周波発振器と、前記高周波発振器を駆動するためのインバーター基板と、前記インバーター基板を収納保持するプリントベース板と、前記加熱庫に設けた覗き孔から被加熱物の温度を検知する赤外線センサーと、前記赤外線センサーを保持する断熱板と、前記高周波発振器、インバーター基板、赤外線センサー等を冷却する為の冷却ファンとを備え、前記冷却ファンにより発生する冷却風が前記プリントベース板と断熱板の間を通路として、前記赤外線センサーの側方に供給されることを特徴とした高周波加熱装置。
【請求項２】
プリントベース板は、インバーター基板に搭載された電気部品と断熱板との絶縁を確保するためのリブを断熱板側に有し、冷却風が前記リブと断熱板の間を通路として赤外線センサーに供給されることを特徴とする請求項１に記載の高周波加熱装置。
【請求項３】
プリントベース板のリブに断熱板側に突出したガイドを有し、冷却風が前記ガイドに沿ってを赤外線センサーへ効率良く誘導されることを特徴とする請求項１に記載の高周波加熱装置。
【発明の詳細な説明】
【技術分野】
【０００１】
本発明は、被加熱物の温度を赤外線センサーによって検知させる機能を有する高周波加熱装置に関するものである。
【背景技術】
【０００２】
従来、この種の高周波加熱装置においては、赤外線センサーの温度検知性能を維持するために、センサー検知部であるレンズが加熱庫の覗き孔から押し出された油煙による汚れや加熱庫からの熱から保護する必要があり、その方法として、エアーガイドにより冷却風を誘導し赤外線センサーの側面及び赤外線センサーと加熱庫の覗き孔との間に向けて吹き付けることにより、温度保護と検知部の汚れを防止する構成のものが知られている（例えば、特許文献１参照）。
【０００３】
図５は、赤外線センサーの冷却構成の機械室側面図で、機械室に設けられた冷却ファンモーター１の駆動によりプロペラファン２が回転し、機械室内に冷却風が送風される。その際に断熱板３と、マグネトロン４の間にエアーガイド５が保持され、エアーガイド５の噴出し口７は赤外線センサー６の近傍に位置する形状で、プロペラファン２の回転によって送られた風がエアーガイド５の広く開放された開口に押し込まれ、狭く閉じられた噴出し口７から冷却風が勢い良く押し出される構成としていた。冷却風は保持位置にある赤外線センサー６と、加熱庫の覗き孔８の間に向かって噴出す構成で、覗き孔８から出てくる被加熱物から発生する油煙から赤外線センサー６の検知部が汚れるのを防止する構成である。
【０００４】
図６は図５に示した高周波発振器であるマグネトロンと高い電圧を発生させるインバーター基板を外し判り易くした詳細図であり、図に示すように、冷却風はプロペラファン２の回転によって高周波加熱装置の外部より矢印１１方向に冷気が吸入されその一部がエアーガイド５内部に押し込まれ、矢印１３方向に流れ狭くなった噴出し口によって勢い良く矢印１４方向に押し出されることになる。
【特許文献１】特開２００４−２６３９８１号公報
【発明の開示】
【発明が解決しようとする課題】
【０００５】
しかしながら、前記従来の構成では、冷却風を集めて放出する為のガイドの追加及び取り付ける作業が必要となりコスト的にも高くなる。またスペース的にも場所を取るという課題があった。
【０００６】
本発明は、前記従来の課題を解決するもので、被加熱物の温度を検出する赤外線センサーを加熱庫からの油煙や熱から、安価で確実な手段で保護することを目的とした高周波加熱装置を提供することを目的とする。
【課題を解決するための手段】
【０００７】
前記従来の課題を解決するために、本発明の高周波加熱装置は、被加熱物を収納して加熱する加熱庫と、前記加熱庫に高周波電波を供給する高周波発振器と、前記高周波発振器を駆動するためのインバーター基板と、前記インバーター基板を収納保持するプリントベース板と、前記加熱庫に設けた覗き孔から被加熱物の温度を検知する赤外線センサーと、前記赤外線センサーを保持する断熱板と、前記高周波発振器、インバーター基板、赤外線センサー等を冷却する為の冷却ファンとを備え、前記冷却ファンにより発生する冷却風が前記プリントベース板と断熱板の間を通路として、前記赤外線センサーの側方に供給されることを特徴としたものである。
【０００８】
これによって、樹脂によって形成されたプリントベース板によって冷却風が隻赤外線センサーの近傍まで確実に誘導され赤外線センサーが加熱庫の覗き孔から押し出された油煙による汚れ防止や温度保護が確実にできる。
【発明の効果】
【０００９】
本発明の高周波加熱装置によれば、冷却ファンから発生した冷却風の一部を効率よく誘導し、赤外線センサーを加熱庫の覗き孔から出てくる油煙からの汚れや熱から保護することができる。更に構成的にも同一部品で形成されるためコスト的にも安価に構成できる。
【発明を実施するための最良の形態】
【００１０】
第１の発明は、被加熱物を収納して加熱する加熱庫と、前記加熱庫に高周波電波を供給する高周波発振器と、前記高周波発振器を駆動するためのインバーター基板と、前記インバーター基板を収納保持するプリントベース板と、前記加熱庫に設けた覗き孔から被加熱物の温度を検知する赤外線センサーと、前記赤外線センサーを保持する断熱板と、前記高周波発振器、インバーター基板、赤外線センサー等を冷却する為の冷却ファンとを備え、前記冷却ファンにより発生する冷却風が前記プリントベース板と断熱板の間を通路として、前記赤外線センサーの側方に供給される構成とすることにより、赤外線センサーを収納したケースと加熱庫の覗き孔との間に安定した冷却風が送られることになり、覗き孔からの油煙等で赤外線センサーの汚れ防止、及び加熱庫からの熱から温度保護することができる。
【００１１】
第２の発明は、特に、第１の発明のプリントベース板は、インバーター基板に搭載された電気部品と断熱板との絶縁を確保するためのリブを断熱板側に有し、冷却風が前記リブと断熱板の間を通路として赤外線センサーに供給されることを特徴とするもので、リブを設けた分多くの冷却風を赤外線センサーに供給することができ赤外線センサーの汚れ防止、及び加熱庫からの熱から温度保護することができる。
【００１２】
第３の発明は、特に、第２の発明のプリントベース板のリブに断熱板側に突出したガイドを有し、冷却風が前記ガイドに沿ってを赤外線センサーへ効率良く誘導されることを特徴とするもので、ガイドによってより多くの風を集め赤外線センサーに向かって効率よく送ることができ、赤外線センサーの汚れ防止、及び加熱庫からの熱から温度保護することができる。
【００１３】
以下、本発明の実施の形態について、図面を参照しながら説明する。なお、この実施の形態によって本発明が限定されるものではない。
【００１４】
（実施の形態１）
図１は、本発明の第１の実施の形態における高周波加熱装置の機械室内部の側面図を示すもので、高周波発振器と高電圧を発生させるインバーター基板を外し判り易くした図である。
【００１５】
図１においては、加熱庫２２の側面には、加熱庫２２の熱が制御回路基板（図示せず）、高周波発振器、インバーター基板等を収納する機械室に伝わるのを防止するための断熱板２３が設けられている。断熱板２３にはセンサーマウント２４が固定され、そのセンサーマウント２４にモーター２５が固定され赤外線センサー２６がモーター２５の軸と結合し、必要動作時に首振り稼動する。また機械室内に冷却風を吸引し循環させる冷却ファン２７と、それを回転駆動させる冷却ファンモーター２８が機械室の壁面３２に取り付け固定されている。冷却ファン２７に近接する上部には高圧電圧を発生させるインバーター基板を保持する形状のプリントベース板２０が構成されている。
【００１６】
インバーター基板を保持固定するプリントベース板２０は樹脂成型によって構成され、両端には、インバーター基板と断熱板２３や本体ケース（図示せず）との絶縁を確保するためのリブ２０ａ、２０ｂが設けられた略コの字状の断面形状をしている。なお、図において本体ケース側のリブ２０ｂは一部を切り欠いて図示している。そして、冷却ファン２７により発生する冷却風は、リブ２０ａとリブ２０ｂの間を通過してインバーター基板のインバータートランスやスイッチング素子の放熱板を冷却する風と、リブ２０ａと断熱板２３の間の空間を通り、赤外線センサー２６に供給される風とに分岐される。また、断熱板２３の一部を他の面より加熱室２２側に低くなった面３０を設けて、この面３０にプリントベース板２０のリブ２０ａが位置するようにして冷却風の通路をできるだけ広く取っている。
【００１７】
従って、冷却ファンモーター２８の駆動によって冷却ファン２７が回転し、機体の外より外気を吸引し機械室内に冷却風が供給される。その際、断熱板２３の低くなった面３０とプリントベース板２０のリブ２０ａの空間に冷却風が押し込まれることになる。プリントベース板２０は金属のプリントベース取り付け金具３１によって本体に取り付け固定され、断熱板２３の低くなった面３０とプリントベース板２０の間に押し込まれた風が赤外線センサー２６の側面に押し出され、赤外線センサー２６に噴きつける構成とした。それによって加熱庫２２の覗き孔３３と赤外線センサー２６の間を冷却風が通過しエアーカーテンとなる。
【００１８】
図２は、図１において高周波発振器と高電圧を発生させるインバータートランスの実装した図である。図２に示すように、冷却ファン２７は、発生される冷却風により高周波発振器４１を近接位置より効率的に冷却し、さらに冷却ファン２７の上に設けられたインバーター基板４２上の高電圧を発生させるインバータートランス４２ａやスイッチング素子の放熱板を冷却するための最適位置に保持されている。
【００１９】
以上のように、本実施の形態においては断熱板２３の低くなった面３０とプリントベース板２０の間に風路を設け、冷却ファン２７の回転によって発生する風を風路によって誘導され、赤外線センサー２６の側面に押し出される構成とすることにより、赤外線センサー２６と覗き孔３３の間を風が通過することとなり、覗き孔３３から押し出された被加熱物の油煙から赤外線センサー２６のセンサー検知部であるレンズ（後述）の汚れを防止すると共に、加熱庫２２の高温部からの熱から保護することができる。
【００２０】
（実施の形態２）
図３、図４は、本発明の第２の実施の形態の高周波加熱装置の側面図である。本実施の形態と、実施の形態１の構成と異なるところは、プリントベース板３４のリブ３４ａ平面部と断熱板２３の低くなった面３０との間のリブ３４ａ側にリブ形状のガイド２９を設けた点である。
【００２１】
まず、冷却ファン２７の回転によって発生する冷却風はインバーター基板上のインバータートランス４２ａやスイッチング素子方熱板４２ｂを冷却すると共に、一部の風が断熱板５１の低くなった面３０とプリントベース板３４の間の空間に押し込まれる。押し込まれた風はプリントベース板３４のリブ３４ａに設けられたガイド２９によってより多くの風が集められ確実に誘導されることになる。ガイド２９は赤外線センサー２６の側面近傍まで形成されている。それによって風速、風量がより多く得られ確実に赤外線センサー２６のセンサー検知部であるレンズ２６ａの汚れや熱からの保護が可能となる。
【００２２】
以上のように、本実施の形態においてはプリントベース板３４の断熱板２３の低くなった面３０と対向する面に、冷却ファン２７によって送られた冷却風を効率よく誘導する為の、リブ形状からなるガイド２９を形成することにより、少量の冷却風を効率よく集め赤外線センサー２６まで誘導する構成となり、より確実に赤外線センサー２６のセンサー検知部であるレンズ２６ａの汚れや熱から保護することができる。
【００２３】
なお、本実施の形態では、ガイドをプリントベース板に一体として設けたが、断熱板側に設けても同様の効果を得ることができる。
【産業上の利用可能性】
【００２４】
以上のように、本発明にかかる発明によれば、冷却ファンから発生した冷却風の一部を効率よく誘導し、赤外線センサーを汚れや熱から保護することができるので、高周波加熱装置だけでなく、オーブンやコンベクションを有する種々の調理器に適用できる。
【図面の簡単な説明】
【００２５】
【図１】本発明の実施の形態１における高周波加熱装置の側面図
【図２】本発明の実施の形態１における高周波加熱装置の補足側面図
【図３】本発明の実施の形態２における高周波加熱装置の側面図
【図４】本発明の実施の形態２における高周波加熱装置の要部斜視図
【図５】従来の高周波加熱装置の側面図
【図６】従来の高周波加熱装置の補足側面図
【符号の説明】
【００２６】
２０、３４  プリントベース板
２０ａ、３４ａ  リブ
２２  加熱庫
２３  断熱板
２６  赤外線センサー
２７  冷却ファン
２９  ガイド
３３  覗き孔
４１  高周波発振器
４２  インバーター基板
４２ａ  インバータートランス（電気部品）
【図１】
2006194480.tif 000003
【図２】
2006194480.tif 000004
【図３】
2006194480.tif 000005
【図４】
2006194480.tif 000006
【図５】
2006194480.tif 000007
【図６】
2006194480.tif 000008